(57)【要約】本発明は、光学経路に沿ってディスプレイ装置のユーザの視界の法線方向に投影される画像を生成する投影モジュールを備える、特に、自動車用の、ディスプレイ装置に関する。ディスプレイ装置は反射及び／又は表示要素を備え、反射及び／又は表示要素は静止位置と少なくとも１つの表示位置との間で移動可能である。ディスプレイ装置は、反射及び／又は表示要素が支持体によってその静止位置とその少なくとも１つの表示位置との間で移動されるように、反射及び／又は表示要素に対する支持体を備え、反射及び／又は表示要素は、反射及び／又は表示要素の静止位置と表示位置との間で反射及び／又は表示要素の支持体に対して少なくとも部分的に相対回転運動を行い、相対回転運動は回転軸の周りに提供され、第１、第２、第３、第４及び第５の表面が平坦面であることにより、及び第６及び第７の表面が湾曲面であることにより、反射及び／又は表示要素と支持体は接続され、第１、第２、第３及び第４の表面は回転軸に平行である。
2017515724.tif 000002
【特許請求の範囲】
【請求項１】
光学経路（１２）に沿ってディスプレイ装置（１０）のユーザの視界（１５）の法線方向に投影される画像を生成する投影モジュール（１１）を備える、特に、自動車用の、ディスプレイ装置（１０）であって、
前記ディスプレイ装置（１０）は反射及び／又は表示要素（１３）を備え、反射及び／又は表示要素（１３）は静止位置と少なくとも１つの表示位置との間で移動可能であり、
前記ディスプレイ装置（１０）は、前記反射及び／又は表示要素（１３）が支持体（１６）によってその静止位置とその少なくとも１つの表示位置との間で移動されるように、前記反射及び／又は表示要素（１３）に対する支持体（１６）を備え、
前記反射及び／又は表示要素（１３）は、前記反射及び／又は表示要素（１３）の前記静止位置と前記表示位置との間で前記反射及び／又は表示要素（１３）の前記支持体（１６）に対して少なくとも部分的に相対回転運動を行い、前記相対回転運動は回転軸の周りに提供され、
第１、第２、第３、第４及び第５の表面が平坦面であることにより、及び第６及び第７の表面が湾曲面であることにより、前記反射及び／又は表示要素（１３）と前記支持体（１６）は接続され、前記第１、第２、第３及び第４の表面が前記回転軸に平行であることを特徴とする、ディスプレイ装置（１０）。
【請求項２】
前記第６及び第７の表面は前記反射及び／又は表示要素（１３）の表面であること、及び前記第１、第２、第３、第４及び第５の表面は前記反射及び／又は表示要素（１３）の前記支持体（１６）の表面であり、前記第１、第２及び第６の表面と前記第３、第４、第５及び第７の表面はバネ（２２、２２’）によって互いに対して押圧されることを特徴とする、請求項１に記載のディスプレイ装置（１０）。
【請求項３】
前記バネ（２２、２２’）は、前記第１、第２及び第６の表面と前記第３、第４、第５及び第７の表面が前記反射及び／又は表示要素（１３）と前記支持体（１６）との間の相対回転運動を可能にするように構成されることを特徴とする、請求項１又は２に記載のディスプレイ装置（１０）。
【請求項４】
前記第１及び第２の表面と前記第３、第４及び第５の表面は互いに向かって傾斜されていることを特徴とする、請求項１〜３の何れか１項に記載のディスプレイ装置（１０）。
【請求項５】
前記反射及び／又は表示要素（１３）の前記静止位置は、前記反射及び／又は表示要素（１３）の前記支持体の静止位置に対応し、前記反射及び／又は表示要素（１３）の前記表示位置は前記反射及び／又は表示要素（１３）の前記支持体（１６）の表示位置に対応することを特徴とする、請求項１〜４の何れか１項に記載のディスプレイ装置（１０）。
【請求項６】
前記反射及び／又は表示要素（１３）の前記支持体は、その静止位置と表示位置との間で並進運動を少なくとも部分的に行うことを特徴とする、請求項１〜５の何れか１項に記載のディスプレイ装置（１０）。
【請求項７】
前記反射及び／又は表示要素（１３）は、複数の異なる表示位置に位置することができることを特徴とする、請求項１〜６の何れか１項に記載のディスプレイ装置（１０）。
【請求項８】
前記反射及び／又は表示要素（１３）の異なる表示位置の間で、前記反射及び／又は表示要素（１３）は回転及び／又は並進運動させられることを特徴とする、請求項１〜７の何れか１項に記載のディスプレイ装置（１０）。
【請求項９】
前記反射及び／又は表示要素（１３）は、モーター要素によってその静止位置とその少なくとも１つの表示位置との間で駆動されることを特徴とする、請求項１〜８の何れか１項に記載のディスプレイ装置（１０）。
【発明の詳細な説明】
【技術分野】
【０００１】
本発明は、特に自動車用のディスプレイ装置に関する。
【背景技術】
【０００２】
特に、ＵＳ５２１４４１３に記載されているフロントガラスに向かう又は反射要素に向かう画像の投影を使用する、ヘッドアップ型のディスプレイ装置が知られている。
【０００３】
ヘッドアップディスプレイ装置は、自動車の運転者が自動車の前方の空間から眼を離さずに情報を読み取ることができるように、自動車の前方の空間における視界に情報を投影することが可能である。同時に、情報は車両の運転者の眼の調節を修正せずに読み取られ得る。
【０００４】
車両ユーザの必要に応じて、車両ユーザの頭（又は眼）が様々な位置において反射及び／又は表示要素が使用され得ることが有利である。
【０００５】
このような先行技術の装置の１つの欠点は、反射及び／又は表示要素に対する支持体と反射及び／又は表示要素との間のリンクを生成するのに比較的多くの労力が必要とされることである。ＤＥ１０１４４４９１Ｃ２は、バネの使用を提案しているが、これはディスプレイ装置に関して比較的高費用をもたらす。
【発明の概要】
【０００６】
本発明の目的は、特に、先行技術の、特に、上記の欠点を克服することであり、低費用でその支持体に確実に接続される反射及び／又は表示要素を有するヘッドアップディスプレイ装置を提案することでもある。
【０００７】
本発明によれば、この目的は、光学経路に沿ってディスプレイ装置のユーザの視界の法線方向に投影される画像を生成する投影モジュールを備える、特に、自動車用の、ディスプレイ装置より達成される。このディスプレイ装置は反射及び／又は表示要素を備え、反射及び／又は表示要素は静止位置と少なくとも１つの表示位置との間で移動可能である。このディスプレイ装置は、反射及び／又は表示要素が支持体によってその静止位置とその少なくとも１つの表示位置との間で移動されるように、反射及び／又は表示要素に対する支持体を備え、反射及び／又は表示要素は、反射及び／又は表示要素の静止位置と表示位置との間で反射及び／又は表示要素の支持体に対して少なくとも部分的に相対回転運動を行い、相対回転運動は回転軸の周りに提供され、第１、第２、第３、第４及び第５の表面が平坦面であることにより、及び第６及び第７の表面が湾曲面であることにより、反射及び／又は表示要素と支持体は接続され、第１、第２、第３及び第４の表面は回転軸に平行である。
【０００８】
このようにしてディスプレイ装置を製造することにより、反射及び／又は表示要素とその支持体との間の接続を単純且つ安価なやり方でもたらすことが有利に可能になる。
【０００９】
本発明の別の好ましい改良は、第６及び第７の表面が反射及び／又は表示要素の表面であり、第１、第２、第３、第４及び第５の表面が反射及び／又は表示要素の支持体の表面であり、第１、第２及び第６の表面と第３、第４、第５及び第７の表面はバネによって互いに対して押圧されることである。
【００１０】
本発明の別の好ましい改良は、バネが、第１、第２及び第６の表面と第３、第４、第５及び第７の表面が反射及び／又は表示要素と支持体との間の相対回転運動を可能にするように構成されることである。
【００１１】
また、本発明の別の変形によれば、第１及び第２の表面と第３、第４及び第５の表面は互いに向かって傾斜されていることが好ましい。
【００１２】
本発明の別の好ましい改良は、反射及び／又は表示要素の静止位置が、反射及び／又は表示要素の支持体の静止位置に対応し、反射及び／又は表示要素の表示位置が反射及び／又は表示要素の支持体の表示位置に対応することである。
【００１３】
本発明の更に別の好ましい改良は、反射及び／又は表示要素の支持体が、その静止位置と表示位置との間で並進運動を少なくとも部分的に行うことである。
【００１４】
本発明の１つの好ましい改良は、反射及び／又は表示要素が、複数の異なる表示位置に位置することができることである。
【００１５】
本発明の１つの好ましい改良は、反射及び／又は表示要素の異なる表示位置の間で、反射及び／又は表示要素が回転及び／又は並進運動させられることである。
【００１６】
本発明の更に別の好ましい改良は、反射及び／又は表示要素が、モーター要素、特に、ステッピングモーターによってその静止位置とその少なくとも１つの表示位置との間で駆動されることである。
【００１７】
本発明の他の特徴及び利点は、本発明の特定の非限定的な実施形態の以下の記載を読むと明らかになるであろう。
【図面の簡単な説明】
【００１８】
本発明は、非限定的な例示により提示され且つ添付の概略的な図面を参照して説明される好ましい実施形態に関する以下の記載からより良好に理解されるであろう。
【図１】本発明によるディスプレイ装置の概略的な断面図である。
【図２】本発明によるディスプレイ装置の反射及び／又は表示要素の概略図である。
【図３】反射及び／又は表示要素及びその支持体を有する本発明によるディスプレイ装置の一部の概略的な斜視図である。
【図４】反射及び／又は表示要素及びその支持体を有する本発明によるディスプレイ装置の一部の概略的な斜視図である。
【図５】反射及び／又は表示要素及びその支持体を有する本発明によるディスプレイ装置の一部の概略的な斜視図である。
【図６】反射及び／又は表示要素及びその支持体を有する本発明によるディスプレイ装置の一部の概略的な斜視図である。
【図７】反射及び／又は表示要素及びその支持体を有する本発明によるディスプレイ装置の一部の概略的な斜視図である。
【図８】反射及び／又は表示要素及びその支持体を有する本発明によるディスプレイ装置の一部の概略的な斜視図である。
【発明を実施するための形態】
【００１９】
添付図面の図１に示されているように、本発明によるディスプレイ装置１０は、光学経路１２においてディスプレイ装置１０のユーザの視界１５の法線方向に画像を生成する投影モジュール１１を備える。
【００２０】
光学経路１２は、通常、少なくとも１つの反射及び／又は表示要素１３を含む。このようにして、光学経路１２は、図１に示されているように、（単一の）反射要素を含み得る。更に、光学経路２は、２つの反射要素も含み得る。また、ディスプレイ装置１０は、反射要素１３と共に又は表示要素（例えば、薄膜トランジスタ（ＴＦＴ；ｔｈｉｎ  ｆｉｌｍ  ｔｒａｎｓｉｓｔｏｒ）等）と共に、又は反射及び表示要素と共に製造され得る。
【００２１】
視界１５の法線方向は、ディスプレイ装置１０のユーザ、特に、自動車の運転者が、特にフロントガラス１４を介して、自動車の前方の外側領域を見ているときの、この人物の観察方向である。
【００２２】
本発明によれば、反射及び／又は表示要素１３は、フロントガラス１４から間隔を空けて配置された要素である。本発明の好ましい実施形態によれば、反射及び／又は表示要素１３は、静止位置に及び少なくとも１つの表示位置に配置され得る。反射及び／又は表示要素１３がその静止位置に配置されると、反射及び／又は表示要素１３は、例えば、ディスプレイ装置１０の筐体内に配置される。
【００２３】
反射及び／又は表示要素１３がその表示位置に配置されると、反射及び／又は表示要素１３は、典型的には、ディスプレイ装置のユーザ、特に、自動車の運転者が反射及び／又は表示要素１３を介して見ることができるように、直立して又は実質的に垂直に配置される。反射及び／又は表示要素１３の静止位置及び表示位置の位置の変化は、回転及び／又は並進運動により行われる。
【００２４】
反射及び／又は表示要素１３の異なる位置は、異なる表示位置に対応し、ユーザの頭の異なる高さに適合され得る。反射及び／又は表示要素１３は、典型的には、直接的に又はトランスミッション要素を介して、モーター要素により駆動される。モーター要素は、特に、線形モーター要素又は回転モーター要素、特に、電気ステッピングモーター要素であり得る。
【００２５】
本発明によれば、支持要素１６又は支持体１６が反射及び／又は表示要素１３に関係付けられる。支持体１６又は支持要素１６は、特に、モーター要素を介して、異なる位置状態間で駆動され得る。
【００２６】
図２は、本発明によるディスプレイ装置の反射及び／又は表示要素の概略図である。反射及び／又は表示要素１３は、第１及び第２の取り付け部を含む略長方形の形状を有しており、取り付け部は、図３〜８に示されているように支持体への柔軟な取り付けのために設けられる。第１及び第２の取り付け部は、反射及び／又は表示要素１３の延長の主方向と平行な方向に延びている。この方向と平行に、反射及び／又は表示要素１３が支持体に対して（即ち、相対回転運動によって）回転移動され得る回転軸も延びている。この相対回転運動を許容するために、支持体は、第１の平坦面及び第２の平坦面並びに第３の平坦面、第４の平坦面及び第５の平坦面を含み、反射及び／又は表示要素は、その第１の取り付け部における第６の湾曲面及びその第２の取り付け部における第７の湾曲面を含む。
【００２７】
図３〜８は、反射及び／又は表示要素１３及び支持体１６を有する本発明によるディスプレイ装置の一部の概略的な斜視図を示す。支持体１６は反射及び／又は表示要素１３の各側の副部品を含み、各副部品はバネを有しており、第１の副部品のバネ（反射及び／又は表示要素１３の左側；図５を参照）は参照符号２２を有し、第２の副部品のバネ（反射及び／又は表示要素１３の右側；図８を参照）は参照符号２２’を有する。
【００２８】
支持体１６の第１の副部品は、第１の平坦面１７及び第２の平坦面１８（図３を参照）を含む。支持体１６の第２の副部品は、第３の平坦面１９、第４の平坦面２０及び第５の平坦面２１を含む。反射及び／又は表示要素１３の第１の取り付け部の湾曲面２３（第６の表面）は、バネ２２によって、第１及び第２の平坦面１７、１８の方に押圧される。反射及び／又は表示要素１３の第２の取り付け部の湾曲面２３’（第７の表面）は、バネ２２’によって、第３、第４及び第５の平坦面１９、２０、２１の方に押圧される。
【００２９】
バネ２２、２２’は、一方の第１及び第２の表面と他方の第６の表面との間、及び一方の第３、第４及び第５の表面と他方の第７の表面との間の遊びを回避するために設けられる。
【００３０】
反射及び／又は表示要素１３及び支持体１６は表面により接続されており、第６及び第７の表面は湾曲面であり、第１、第２、第３、第４及び第５の表面は平坦面である。
【００３１】
支持体１６による反射及び／又は表示要素１３の設置を容易にするために、バネ２２、２２’は、ディスプレイ装置１０の第１の組み立てステップにおいて、反射及び／又は表示要素１３の第１及び第２の取り付け部が支持体１６の第１、第２、第３、第４及び第５の表面１７、１８、１９、２０、２３に対して配置されるように（図４及び７を参照）、及びディスプレイ装置１０の第２の組み立てステップにおいて、バネ２２、２２’が、支持体１６の第１、第２、第３、第４及び第５の表面１７、１８、１９、２０、２３に対して第６及び第７の（湾曲）表面を押圧するために曲げられる（又は配置される）ように、折り畳み可能に設けられる。
【００３２】
バネ２２、２２’の押圧は、好ましくは、反射及び／又は表示要素１３と支持体１６との間の遊び無しで、反射及び／又は表示要素１３と支持体との間の相対回転運動が容易に可能になるようにする。
【符号の説明】
【００３３】
１０  ディスプレイ装置
１１  投影モジュール
１２  光学経路
１３  反射及び／又は表示要素  
１３’  回転運動
１４  フロントガラス
１５  視界の法線方向
１６  支持体
１７  第１の表面
１８  第２の表面
１９  第３の表面
２０  第４の表面
２１  第５の表面
２２、２２’  バネ
２３  第６の表面
２３’  第７の表面
【図１】
2017515724.tif 000003
【図２】
2017515724.tif 000004
【図３】
2017515724.tif 000005
【図４】
2017515724.tif 000006
【図５】
2017515724.tif 000007
【図６】
2017515724.tif 000008
【図７】
2017515724.tif 000009
【図８】
2017515724.tif 000010
【国際調査報告】
2017515724.tif 000011
2017515724.tif 000012
2017515724.tif 000013
2017515724.tif 000014